(57)【特許請求の範囲】
【請求項１】
貼り合せられる第１のディスク基板と第２のディスク基板とを備え、
上記第１のディスク基板及び第２のディスク基板は、少なくともいずれか一方のディスク基板に信号記録領域が設けられるとともに、他方のディスク基板の中心孔の径寸法が一方のディスク基板の中心孔の径寸法より大きく形成され、
上記他方のディスク基板の外形寸法は、一方のディスク基板の外形寸法より小さく形成されたことを特徴とする円盤状光記録媒体。
【請求項２】
貼り合せられる第１のディスク基板と第２のディスク基板とを備え、
上記第１のディスク基板及び第２のディスク基板は、少なくともいずれか一方のディスク基板に信号記録領域が設けられるとともに、他方のディスク基板の中心孔の径寸法が一方のディスク基板の中心孔の径寸法より大きく形成され、
上記他方のディスク基板の外形寸法は、一方のディスク基板の外形寸法より大きく形成されたことを特徴とする円盤状光記録媒体。
【発明の詳細な説明】
【０００１】
【発明の属する技術分野】
本発明は、複数のディスク基板を貼り合わせて構成され、情報信号の記録再生が可能とされる円盤状光記録媒体に関する。
【０００２】
【従来の技術】
近年、情報信号の高記録密度化に伴って、コンパクトディスク（ＣＤ）等の単一ディスク基板や光磁気ディスク等の２枚のディスク基板を貼り合わせた貼り合わせ光ディスクが提案されている。この貼り合わせディスクは、信号記録面を外方に臨ませて同一仕様の２枚のディスク基板を貼り合わせた構成であり、表裏に信号記録面がそれぞれ設けられている。
【０００３】
また、貼り合わせ光ディスクには、いずれか一方のディスク基板のみ信号記録面が設けられ、他方のディスク基板が一方のディスク基板の機械的強度を確保するように構成されたものがある。そして、貼り合わせ光ディスクは、ディスクカートリッジのディスク収納部に回動自在に収納されて、記録再生装置によって情報信号の記録再生が行われる。
【０００４】
【発明が解決しようとする課題】
ところで、上述した貼り合わせ光ディスクは、製造工程において、各ディスク基板を互いに位置合わせして接合固定する際に、相対的な位置にズレが生じてしまうという問題があった。
【０００５】
貼り合わせ光ディスク２０は、貼り合わせる際に生じる位置ズレによって、図８及び図９に示すように、２枚のディスク基板２０Ａ、２０Ｂの中心孔の各内径寸法Ｅ１、Ｅ２が重なる箇所が貼り合わせ光ディスク２０の中心孔の内径寸法Ｅ３となる。このため、貼り合わせ光ディスク２０は、中心孔の最小内径寸法Ｅ３が、各ディスク基板２０Ａ、２０Ｂ単体の最小内径寸法Ｅ１、Ｅ２より小さくなってしまうといった不都合があった。
【０００６】
また、貼り合わせ光ディスク２０は、各ディスク基板２０Ａ、２０Ｂを貼り合わせる際に、芯出し治具の基準軸を各ディスク基板２０Ａ、２０Ｂの中心孔に貫通させて位置決めをした場合、中心孔に対する外径の偏心量が増加するという問題があった。
【０００７】
また、各ディスク基板２０Ａ、２０Ｂの中心孔の中心に互いにズレが生じた場合には、図９に示すように、一方のディスク基板２０Ａの中心孔に対して他方のディスク基板２０Ｂの外径に偏心が生じてしまうという問題があった。したがって、貼り合わせ光ディスク２０は、図９に示すように、ディスク基板２０Ａ、２０Ｂ単体の外径寸法Ｅ４、Ｅ５より大きな外径寸法Ｅ６を部分的に有するという問題があった。
【０００８】
このため、この貼り合わせ光ディスク２０は、図１０に示すように、カートリッジ２１のディスク収納部２２に収納された際、ディスク収納部２２の内周壁とこの貼り合わせ光ディスク２０の外径との間に必要なクリアランスを確保することが困難であるという問題があった。
【０００９】
そこで、本発明は、各ディスク基板を貼り合わせた際に、各ディスク基板の中心孔と外周部とに偏心が生じることを確実に防止することが可能とされる円盤状光記録媒体を提供することを目的とする。
【００１０】
【課題を解決するための手段】
上述した目的を達成するため、本発明に係る円盤状光記録媒体は、貼り合せられる第１のディスク基板と第２のディスク基板とを備え、第１のディスク基板及び第２のディスク基板は、少なくともいずれか一方のディスク基板に信号記録領域が設けられるとともに、他方のディスク基板の中心孔の径寸法が一方のディスク基板の中心孔の径寸法より大きく形成され、他方のディスク基板の外形寸法は、一方のディスク基板の外形寸法より小さく形成される。
【００１１】
また、上述した目的を達成するため、本発明に係る円盤状光記録媒体は、貼り合せられる第１のディスク基板と第２のディスク基板とを備え、第１のディスク基板及び第２のディスク基板は、少なくともいずれか一方のディスク基板に信号記録領域が設けられるとともに、他方のディスク基板の中心孔の径寸法が一方のディスク基板の中心孔の径寸法より大きく形成され、他方のディスク基板の外形寸法は、一方のディスク基板の外形寸法より大きく形成される。
【００１２】
【発明の実施の形態】
以下、本発明の具体的な実施形態について、光ディスクを図面を参照して説明する。第１の実施の形態の光ディスク１は、図１及び図２に示すように、第１のディスク基板１Ａと、この第１のディスク１Ａに貼り合わせられる第２のディスク基板１Ｂとを備えている。
【００１３】
第１のディスク基板１Ａは、ポリカーボネート樹脂等の合成樹脂を材料として中心孔１１を有する円盤状に形成されている。この第１のディスク基板１Ａは、環状の信号記録領域Ｓが設けられており、この信号記録領域Ｓを被覆するアルミニウム等からなる反射層、及び合成樹脂からなる保護層を有する。
【００１４】
第２のディスク基板１Ｂは、ポリカーボネート樹脂等の合成樹脂を材料として中心孔１３を有する円盤状に形成されており、第１のディスク基板１Ａに貼り合わせられることによって、第１のディスク基板１Ａの機械的強度を保つための支持基板として作用する。
【００１５】
そして、この第２のディスク基板１Ｂは、中心孔１３の内径寸法Ｄ３が、第１のディスク基板１Ａの中心孔１１の内径寸法Ｄ１より大とされるとともに、外径寸法Ｄ４が、第１のディスク基板１Ａの外径寸法Ｄ２より小とされる。
【００１６】
なお、第２のディスク基板１Ｂは、第１のディスク基板１Ａに対して中心孔の内径寸法を大きくする寸法及び外径寸法を小さくする寸法が、貼り合わせする際に生じる位置ズレ寸法に等しい、或いは位置ズレ寸法より大きな寸法に設定されている。
【００１７】
上述した光ディスク１について、第１のディスク基板１Ａと第２のディスク基板１Ｂとを貼り合わせる状態を説明する。まず、光ディスク１は、図示しない芯出し治具が用いられて、この芯出し治具の基準軸が第１のディスク基板１Ａ及び第２のディスク基板１Ｂの各中心孔１３に挿通されて位置決めされる。第１のディスク基板１Ａと第２のディスク基板１Ｂは、相対的な位置の位置決めがされた後、紫外線硬化型接着剤等によって接合固定される。
【００１８】
上述したように、第１の実施の形態の光ディスク１は、第２のディスク基板１Ｂの中心孔１３の内径寸法Ｄ３が、第１のディスク基板１Ａの中心孔１１の内径寸法Ｄ１より大とされるとともに、第２のディスク基板１Ｂの外径寸法Ｄ４が、第１のディスク基板１Ａの外径寸法Ｄ２より小とされることによって、貼り合わせ時に生じる位置ズレによる悪影響を防止することができる。
【００１９】
すなわち、この光ディスク１は、中心孔の内径寸法Ｄ１が、第１のディスク基板１Ａ、第２のディスク基板１Ｂ単体の中心孔１１，１３の内径寸法Ｄ１、Ｄ３より小さくなることが確実に防止されるとともに、外径寸法Ｄ２が、第１のディスク基板１Ａ、第２のディスク基板１Ｂ単体の外径寸法Ｄ２、Ｄ４より大きくなることが確実に防止される。
【００２０】
また、この光ディスク１は、後述するディスクカートリッジ３のディスク収納部の内壁と外径との間に必要なクリアランスを確保することが可能とされる。
【００２１】
第２の実施の形態の光ディスク２は、図３及び図４に示すように、第１のディスク基板２Ａと、この第１のディスク基板２Ａに貼り合わされる第２のディスク基板２Ｂとを備えている。
【００２２】
第１のディスク基板２Ａは、ポリカーボネート樹脂等の合成樹脂を材料として中心孔１５を有する円盤状に形成されている。この第１のディスク基板２Ａは、環状の信号記録領域Ｓが設けられており、この信号記録領域Ｓを被覆するアルミニウム等からなる反射層、及び合成樹脂からなる保護層を有する。
【００２３】
第２のディスク基板２Ｂは、ポリカーボネート樹脂等の合成樹脂を材料として中心孔１７を有する円盤状に形成されており、第１のディスク基板２Ａに貼り合わせられることによって、第１のディスク基板２Ａの機械的強度を保つための支持基板として作用する。
【００２４】
そして、第２のディスク基板２Ｂは、中心孔１７の内径寸法Ｄ７が、第１のディスク基板２Ａの中心孔１５の内径寸法Ｄ５より大きくされるとともに、外径寸法Ｄ８が、第１のディスク基板２Ａの外径寸法Ｄ６より大きくされている。
【００２５】
以上のように構成された光ディスク２について、第１のディスク基板２Ａと第２のディスク基板２Ｂとを貼り合わせる状態を図５を参照して説明する。まず、光ディスク２は、図示しない芯出し治具が用いられて、この芯出し治具の基準軸が第１のディスク基板２Ａの中心孔１５に挿通されて、第１のディスク基板２Ａの中心孔１５を基準として第２のディスク基板２Ｂの外径が位置決めされる。第１のディスク基板２Ａと第２のディスク基板２Ｂは、相対的な位置の位置決めがされた後、紫外線硬化型接着剤等によって接合固定される。
【００２６】
上述したように、第２の実施の形態の光ディスク２は、第２のディスク基板２Ｂの中心孔１７の内径寸法Ｄ７が、第１のディスク基板２Ａの中心孔１５の内径寸法Ｄ５より大きくされるとともに、外径寸法Ｄ８が、第１のディスク基板２Ａの外径寸法Ｄ６より大きくされることによって、中心孔の内径に対する外径の偏心精度が、第１のディスク基板２Ａ単体の中心孔１５の内径に対する外径の偏心精度と同等、或いは同等以上の偏心精度を確保することができる。
【００２７】
したがって、第１のディスク基板２Ａは、中心孔１５の内径に対する外径の偏心精度を高精度に確保する必要がなく、また第２のディスク基板２Ｂは、外径に対する中心孔１７の内径の偏心精度を高精度に確保する必要がなくなる。このため、光ディスク２は、第１のディスク基板２Ａ及び第２のディスク基板２Ｂを比較的容易に製造することが可能とされるため、製造コストを低減することができる。
【００２８】
また、この光ディスク２は、後述するディスクカートリッジ３のディスク収納部の内壁と、光ディスク２の外径との間に必要なクリアランスを確保することが可能とされるため、ディスクカートリッジ３を比較的廉価に提供することが可能とされる。
【００２９】
さらに、この光ディスク２は、信号記録領域Ｓを有する第１のディスク基板２Ａの中心孔１５と、この光ディスク２の外径との偏心精度が高精度に確保されるため、ディスクカートリッジ３のディスク収納部の内壁と光ディスク２の外径との間に必要なクリアランスを小さく設定すること可能とされる。したがって、この光ディスク２は、記録再生装置側の精度を高精度に確保することが不要とされ、記録再生装置の製造コストを低減することができる。
【００３０】
上述した実施の形態の光ディスク１、２は、図６及び図７に示すディスクカートリッジ３に回転自在に収納される。
【００３１】
このディスクカートリッジ３は、図６及び図７に示すように、全体として略浅皿状を呈して形成された上ハーフ５Ａと下ハーフ５Ｂとを互いに組み合わせたカートリッジ本体５と、このカートリッジ本体５の一側端部に開設されたディスク挿脱用開口部６に対して開閉自在に設けられた蓋体７と、カートリッジ本体５の略中央部に相対向してそれぞれ開設されたディスクテーブル進入開口部８に開閉自在に配設されたシャッタ部材９とを備えて構成される。
【００３２】
そして、このディスクカートリッジ３は、記録再生装置に装填された際、シャッタ部材９が開放されるとともに、ディスクテーブル進入開口部８に記録再生装置のディスクテーブルが進入されて、収納された光ディスクが回転駆動されて情報信号の記録再生が行われる。また、ディスクカートリッジ３に収納された光ディスクは、ディスク単体で記録再生する場合、カートリッジ本体５のディスク挿脱用開口部６から取り出されて、記録再生装置に装填され記録再生される。
【００３３】
なお、本実施の形態に係る光ディスク１、２は、第１のディスク基板のみに情報信号の信号記録領域Ｓが設けられる構成とされたが、第２のディスク基板に、信号記録領域を設ける構成としてもよいことは勿論である。
【００３４】
【発明の効果】
上述したように本発明に係る円盤状光記録媒体すなわち、光ディスクによれば、第１のディスク基板及び第２のディスク基板は、少なくともいずれか一方のディスク基板に信号記録領域が設けられるとともに、他方のディスク基板の中心孔の径寸法が一方のディスク基板の中心孔の径寸法より大きく形成され、他方のディスク基板の外形寸法は、一方のディスク基板の外形寸法より小さく形成されることによって、貼り合わせ時に生じる位置ズレによる悪影響を確実に防止することができる。
また、他方のディスク基板の中心孔の径寸法が一方のディスク基板の中心孔の径寸法より大きく形成され、他方のディスク基板の外形寸法は、一方のディスク基板の外形寸法より大きく形成されることによって、一方のディスク基板は中心孔の内径に対する外径の偏心精度を高精度に確保する必要がなく、他方のディスク基板は、外径に対する中心孔の内径の偏心精度を高精度に確保する必要がなくなり、ディスク基板を比較的容易に製造することができ、製造コストを低減することができる。
さらに、本発明に係る光ディスクによれば、ディスク基板の中心孔と光ディスクの外径との偏心精度も高精度に確保されるため、光ディスクをカートリッジのディスク収納部に収納して、ディスク収納部の内壁と光ディスク外径との間に必要なクリアランスも確保することができる。
【図面の簡単な説明】
【図１】本発明に係る第１の実施の形態の光ディスクを示す斜視図である。
【図２】上記光ディスクを示す縦断面図である。
【図３】第２の実施の形態の光ディスクを示す斜視図である。
【図４】上記光ディスクを示す縦断面図である。
【図５】上記光ディスクを構成する第１のディスク基板と第２のディスク基板とを貼り合わせる状態を説明するために示す縦断面図である。
【図６】上記光ディスクが収納されるディスクカートリッジを示す斜視図である。
【図７】上記光ディスクが収納されるディスクカートリッジを底面側から示す斜視図である。
【図８】従来の光ディスクを示す斜視図である。
【図９】従来の光ディスクを示す縦断面図である。
【図１０】従来の光ディスクがカートリッジに収納された状態を説明するために示す縦断面図である。
【符号の説明】
１  光ディスク（円盤状光記録媒体）、１Ａ  第１のディスク基板、１Ｂ  第２のディスク基板
【図１】
0003666111.tif 000002
【図２】
0003666111.tif 000003
【図３】
0003666111.tif 000004
【図４】
0003666111.tif 000005
【図５】
0003666111.tif 000006
【図６】
0003666111.tif 000007
【図７】
0003666111.tif 000008
【図８】
0003666111.tif 000009
【図９】
0003666111.tif 000010
【図１０】
0003666111.tif 000011